【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
無線通信方法であって、
端末装置は、第１能力情報及び／又は第１機能パラメータ情報を搬送するための第１メッセージをアクセスネットワーク装置に送信し、前記第１能力情報は、前記端末装置の最大通信能力を第１通信能力に更新するように前記アクセスネットワーク装置に指示することに用いられ、前記第１機能パラメータ情報は、前記端末装置の通信のための機能パラメータ又はパラメータ範囲を第１機能パラメータ又はパラメータ範囲に更新するように前記アクセスネットワーク装置に指示することに用いられることと、
前記端末装置は前記アクセスネットワーク装置から送信された第２メッセージを受信し、前記第２メッセージに、前記アクセスネットワーク装置が前記第１能力情報及び／又は前記第１機能パラメータ情報に基づいて前記端末装置のために設定した機能パラメータ又はパラメータ範囲が含まれることと、を含むことを特徴とする、前記無線通信方法。
【請求項２】
前記端末装置がアクセスネットワーク装置へ第１メッセージを送信する前に、前記方法は、
前記端末装置は、前記端末装置の現在の状況に応じて前記第１通信能力及び／又は前記第１機能パラメータ又はパラメータ範囲を確定することを含むことを特徴とする
請求項１に記載の方法。
【請求項３】
前記端末装置がアクセスネットワーク装置へ第１メッセージを送信する前に、前記方法は、更に、
前記端末装置は、第２能力情報を含む第３メッセージを前記アクセスネットワーク装置に送信し、前記第２能力情報は、前記端末装置の最大通信能力を示すことに用いられることと、
前記第１能力情報は、前記第２能力情報に示される最大通信能力を前記第１通信能力に更新するように指示することに用いられ、前記第１機能パラメータ情報は、前記アクセスネットワーク装置により前記最大通信能力に基づいて前記端末装置のために設定された機能パラメータ又はパラメータ範囲を前記第１機能パラメータ又はパラメータ範囲に更新するように指示することに用いられることと、を含むことを特徴とする
請求項１又は２に記載の方法。
【請求項４】
前記端末装置がアクセスネットワーク装置へ第１メッセージを送信する前に、前記方法は、更に、
前記端末装置は、前記アクセスネットワーク装置から送信された、前記ネットワーク機器のサポートする通信能力及び／又は機能パラメータ又はパラメータ範囲を示すための第５メッセージを受信することと、
前記ネットワーク機器のサポートする通信能力及び／又は機能パラメータ又はパラメータ範囲に基づいて、前記第１通信能力及び／又は前記第１機能パラメータ又はパラメータ範囲を確定することと、を含むことを特徴とする
請求項１〜３のいずれか１項に記載の方法。
【請求項５】
前記端末装置の最大通信能力は、
キャリアアグリゲーション通信時にサポートする最大キャリア数、マルチ入力マルチ出力（ＭＩＭＯ）通信時にサポートする最大アンテナ数、デュアルコネクティビティ通信時にサポートする最大キャリア数、干渉除外機能に対応する最大の受信機能力のうちの少なくとも１つを含み、
前記端末装置の通信のための機能パラメータ又はパラメータ範囲は、
キャリアアグリゲーション通信時のキャリア数又はキャリア数範囲、ＭＩＭＯ通信時のアンテナ数又はアンテナ数範囲、デュアルコネクティビティ通信時のキャリア数又はキャリア数範囲、干渉除外機能に対応する受信機能力又は能力範囲のうちの少なくとも１つを含むことを特徴とする
請求項３又は４に記載の方法。
【請求項６】
前記ネットワーク機器のサポートする第１通信能力及び／又は機能パラメータ又はパラメータ範囲は、前記ネットワーク機器が前記端末装置と前記ネットワーク機器との通信過程においてサポートするものである、
請求項１〜５のいずれか１項に記載の方法。
【請求項７】
前記アクセスネットワーク装置は、異なる端末装置に対して異なる通信能力及び／又は機能パラメータ範囲をサポートし、又は、
前記アクセスネットワーク機器は異なる端末装置群に対して異なる第１通信能力及び／又は機能パラメータ範囲をサポートし、同じ端末装置群における端末装置に対して同じ第１通信能力及び／又は機能パラメータ範囲をサポートする
請求項１〜６のいずれか１項に記載の方法。
【請求項８】
前記第１通信能力に基づいて設定されたパラメータ又はパラメータ範囲は前記第１メッセージを受信した後の予定時間内に適用され、他の時間に依然として更新前の最大通信能力に基づいて機能パラメータ又はパラメータ範囲の設定を行い、又は、
前記第１通信能力に基づいて設定されたパラメータ又はパラメータ範囲はあるサービスの機能パラメータの設定に適用され、サービスが変更されるとき、更新前の最大通信能力に基づいて機能パラメータ又はパラメータ範囲の設定を行う
請求項１〜７のいずれか１項に記載の方法。
【請求項９】
無線通信方法であって、
アクセスネットワーク装置は、端末装置から送信された、第１能力情報及び／又は第１機能パラメータ情報を搬送するための第１メッセージを受信し、前記第１能力情報は、前記端末装置の最大通信能力を第１通信能力に更新するように前記アクセスネットワーク装置に指示することに用いられ、前記第１機能パラメータ情報は、前記端末装置の通信のための機能パラメータ又はパラメータ範囲を第１機能パラメータ又はパラメータ範囲に更新するように前記アクセスネットワーク装置に指示することに用いられることと、
前記アクセスネットワーク装置は、前記端末装置に第２メッセージを送信し、前記第２メッセージに、前記アクセスネットワーク装置が前記第１能力情報及び／又は第１機能パラメータ情報に基づいて前記端末装置のために設定した機能パラメータ又はパラメータ範囲が含まれることと、を含むことを特徴とする、前記無線通信方法。
【請求項１０】
前記方法は、更に、
前記端末装置は、現在サービスアクセスネットワーク装置を前記アクセスネットワーク装置から他のアクセスネットワーク装置に切り替えるとき、前記アクセスネットワーク装置は、前記第１能力情報及び／又は前記第１機能パラメータ情報を含む第６メッセージを前記他のアクセスネットワーク装置に送信することを含むことを特徴とする
請求項９に記載の方法。
【請求項１１】
前記第６メッセージには、更に前記端末装置の更新前の通信能力及び／又は更新前の機能パラメータ範囲が含まれることを特徴とする
請求項１０に記載の方法。
【請求項１２】
前記ネットワーク機器のサポートする第１通信能力及び／又は機能パラメータ又はパラメータ範囲は、前記ネットワーク機器が前記端末装置と前記ネットワーク機器との通信過程においてサポートするものである、
請求項９〜１１のいずれか１項に記載の方法。
【請求項１３】
前記アクセスネットワーク装置は、異なる端末装置に対して異なる通信能力及び／又は機能パラメータ範囲をサポートし、又は、
前記アクセスネットワーク機器は異なる端末装置群に対して異なる第１通信能力及び／又は機能パラメータ範囲をサポートし、同じ端末装置群における端末装置に対して同じ第１通信能力及び／又は機能パラメータ範囲をサポートする
請求項９〜１２のいずれか１項に記載の方法。
【請求項１４】
前記第１通信能力に基づいて設定されたパラメータ又はパラメータ範囲は前記第１メッセージを受信した後の予定時間内に適用され、他の時間に依然として更新前の最大通信能力に基づいて機能パラメータ又はパラメータ範囲の設定を行い、又は、
前記第１通信能力に基づいて設定されたパラメータ又はパラメータ範囲はあるサービスの機能パラメータの設定に適用され、サービスが変更されるとき、更新前の最大通信能力に基づいて機能パラメータ又はパラメータ範囲の設定を行う
請求項９〜１３のいずれか１項に記載の方法。
【請求項１５】
端末装置であって、
処理ユニット及び送受信ユニットを備え、
前記処理ユニットは、第１能力情報及び／又は第１機能パラメータ情報を搬送するための第１メッセージを生成することに用いられ、前記第１能力情報は、前記端末装置の最大通信能力を第１通信能力に更新するように前記アクセスネットワーク装置に指示することに用いられ、前記第１機能パラメータ情報は、前記端末装置の通信のための機能パラメータ又はパラメータ範囲を第１機能パラメータ又はパラメータ範囲に更新するように前記アクセスネットワーク装置に指示することに用いられ、
前記送受信ユニットは、アクセスネットワーク装置へ前記第１メッセージを送信し、また、前記アクセスネットワーク装置から送信された第２メッセージを受信し、前記第２メッセージに、前記アクセスネットワーク装置が前記第１能力情報及び／又は前記第１機能パラメータ情報に基づいて前記端末装置のために設定した機能パラメータ又はパラメータ範囲が含まれることに用いられることを特徴とする、前記端末装置。
【請求項１６】
前記送受信ユニットは、更に、
前記アクセスネットワーク装置から送信された、前記ネットワーク機器のサポートする通信能力及び／又は機能パラメータ又はパラメータ範囲を示すための第５メッセージを受信することに用いられ、
前記処理ユニットは、更に、前記ネットワーク機器のサポートする通信能力及び／又は機能パラメータ又はパラメータ範囲に基づいて、前記第１通信能力及び／又は前記第１機能パラメータ又はパラメータ範囲を確定することに用いられることを特徴とする
請求項１５に記載の端末装置。
【請求項１７】
前記端末装置の最大通信能力は、
キャリアアグリゲーション通信時にサポートする最大キャリア数、マルチ入力マルチ出力（ＭＩＭＯ）通信時にサポートする最大アンテナ数、デュアルコネクティビティ通信時にサポートする最大キャリア数、干渉除外機能に対応する最大の受信機能力のうちの少なくとも１つを含み、
前記端末装置の通信のための機能パラメータ又はパラメータ範囲は、
キャリアアグリゲーション通信時のキャリア数又はキャリア数範囲、ＭＩＭＯ通信時のアンテナ数又はアンテナ数範囲、デュアルコネクティビティ通信時のキャリア数又はキャリア数範囲、干渉除外機能に対応する受信機能力又は能力範囲のうちの少なくとも１つを含むことを特徴とする
請求項１５又は１６に記載の端末装置。
【請求項１８】
アクセスネットワーク装置であって、
処理ユニット及び送受信ユニットを備え、
前記送受信ユニットは、端末装置から送信された、第１能力情報及び／又は第１機能パラメータ情報を搬送するための第１メッセージを受信することに用いられ、前記第１能力情報は、前記端末装置の最大通信能力を第１通信能力に更新するように前記アクセスネットワーク装置に指示することに用いられ、前記第１機能パラメータ情報は、前記端末装置の通信のための機能パラメータ又はパラメータ範囲を第１機能パラメータ又はパラメータ範囲に更新するように前記アクセスネットワーク装置に指示することに用いられ、
前記処理ユニットは、更に、前記アクセスネットワーク装置が前記第１能力情報及び／又は第１機能パラメータ情報に基づいて前記端末装置のために設定した機能パラメータ又はパラメータ範囲が含まれる第２メッセージを生成することに用いられ、
前記送受信ユニットは、更に、前記端末装置へ前記第２メッセージを送信することに用いられることを特徴とする、前記アクセスネットワーク装置。
【請求項１９】
前記送受信ユニットは、更に、
現在サービスアクセスネットワーク装置を前記アクセスネットワーク装置から他のアクセスネットワーク装置に切り替えるとき、前記第１能力情報及び／又は前記第１機能パラメータ情報を含む第６メッセージを前記他のアクセスネットワーク装置に送信することに用いられることを特徴とする
請求項１８に記載のアクセスネットワーク装置。
【請求項２０】
前記第６メッセージには、更に前記端末装置の更新前の通信能力及び／又は更新前の機能パラメータ範囲が含まれることを特徴とする
請求項１９に記載のアクセスネットワーク装置。